(57)【要約】【課題】種々の問題を招く板材の貫通箇所の内周面（切断面）と配線・配管の外周面との直接接触を抑止し得る挿通孔を作業効率良く形成することのできる配線・配管用挿通孔形成具を提供する。【解決手段】板材Ｂに配線・配管用の挿通孔を形成する配線・配管用挿通孔形成具１であって、内面側に挿通孔を形成可能な筒状基材２に、操作具Ｔによる操作が可能な被操作部３と、被操作部３に対する操作力で板材Ｂ内部に進入して板材Ｂに孔を穿つ穿孔部４とが設けられ、穿孔部４を板材Ｂの表面側に当て付けた状態からの被操作部３に対する操作により筒状基材２が板材Ｂに貫設されるように構成されている。【選択図】図５
2014145427.tif 000002
【特許請求の範囲】
【請求項１】
壁や天井を形成する板材に配線・配管用の挿通孔を形成する配線・配管用挿通孔形成具であって、
内面側に前記挿通孔を形成可能な筒状基材に、操作具による操作が可能な被操作部と、前記被操作部に対する操作力で板材内部に進入して板材に孔を穿つ穿孔部とが設けられ、
前記穿孔部を板材の表面側に当て付けた状態からの前記被操作部に対する操作により板材に前記筒状基材が貫設されるように構成されている配線・配管用挿通孔形成具。
【請求項２】
前記筒状基材の少なくとも内周面に熱膨張材層が備えられている請求項１記載の配線・配管用挿通孔形成具。
【請求項３】
前記被操作部が、前記筒状基材の端部又は内側に備えられ、かつ、前記操作具による挿通孔形成用の操作によって被操作部が変形又は分離して筒状基材の内側に設定内径の前記挿通孔を形成するように構成されている請求項１又は２記載の配線・配管用挿通孔形成具。
【請求項４】
前記被操作部が、前記穿孔部を一体的に備えた状態で、且つ、前記操作具による挿通孔形成用の操作で分離可能な状態で前記筒状基材の先端部に備えられた分離部から構成されている請求項３記載の配線・配管用挿通孔形成具。
【請求項５】
前記分離部と前記筒状基材とが脆弱部を介して接続されている請求項４記載の配線・配管用挿通孔形成具。
【発明の詳細な説明】
【技術分野】
【０００１】
本発明は、建物の壁や天井等を構成する板材における配線・配管の挿通孔を形成するのに用いられる配線・配管用挿通孔形成具に関する。
【背景技術】
【０００２】
従来、壁や天井等の室内側を形成する板材（複数層の石膏ボードなど）における少数の配線ケーブル（配線・配管の一例）の挿通箇所は、ドリル等の貫通孔形成具で設定内径の挿通孔を貫通形成するとともに、その板材に直接に開口形成された挿通孔に対して配線ケーブルを挿通し、その後、当該挿通箇所に軟質のシール材を充填する閉塞処置が行われている。
【０００３】
また、ドリル等の貫通孔形成具で貫通形成した挿通孔内に両面テープ等を用いて樹脂製等のスリーブ体を挿入装着した後、このスリーブ体内に配線ケーブルを挿通し、更に、当該挿通箇所に軟質のシール材を充填する閉塞処置も行われている（これらの技術を示す適当な文献がない）。
【発明の概要】
【発明が解決しようとする課題】
【０００４】
前者の技術では、前記シール材の充填前において板材に直接に貫通形成した挿通孔の内周面（つまり、板材の切断面）に対して配線ケーブルの外周面が直接に接触するため、配線ケーブルの挿通作業や挿通後の配線ケーブルの取り回し作業等によって板材の貫通箇所が破損し易く、そのことで、必要以上に挿通孔が大径化して防火性能が低下する虞があり、また、配線ケーブルの挿通作業や挿通後の配線ケーブルの取り回し作業等によって配線ケーブルが損傷する虞もある。更に、配設ケーブルの外周面と板材の切断面との摩擦抵抗等によって配線ケーブルの挿通作業が行い難い問題もある。
【０００５】
他方、後者の技術では、板材の貫通箇所にスリーブ体を挿入装着するため、板材の切断面と配線ケーブルの外周面との直接接触に原因する上述した問題点は改善されるものの、配線ケーブル用の挿通孔を形成するのに、ドリル等を用いた板材の貫通工程と、両面テープを用いたスリーブ体の取付け工程の二つの工程が必要になるため、施工に手間がかかる別の問題がある。特に、この問題は、各部屋に配線ケーブルを引込む際において板材における配線ケーブルの挿通箇所数が多くなる実情から、作業負担を大幅に増大させる重大な問題になっている。
【０００６】
本発明は、上述の実状に鑑みて為されたものであって、その主たる課題は、種々の問題を招く板材の貫通箇所の内周面（切断面）と配線・配管の外周面との直接接触を抑止し得る挿通孔を作業効率良く形成することのできる配線・配管用挿通孔形成具を提供する点にある。
【課題を解決するための手段】
【０００７】
本発明の第１特徴構成は、壁や天井を形成する板材に配線・配管用の挿通孔を形成する配線・配管用挿通孔形成具であって、
内面側に前記挿通孔を形成可能な筒状基材に、操作具による操作が可能な被操作部と、前記被操作部に対する操作力で板材内部に進入して板材に孔を穿つ穿孔部とが設けられ、
前記穿孔部を板材の表面側に当て付けた状態からの前記被操作部に対する操作により板材に前記筒状基材が貫設されるように構成されている点にある。
【０００８】
つまり、この構成によれば、前記穿孔部を板材の表面側に当て付けた状態から操作具で被操作部を操作することにより、前記筒状基材の内周面を前記挿通孔とする貫設状態で板材に配線・配管用の挿通孔を形成するから、この操作だけで板材の貫通箇所の内周面を筒状基材で被覆する状態で板材に配線・配管用の挿通孔を形成することができる。
【０００９】
それ故に、配線・配管用の挿通孔を形成する筒状基材を利用して板材を合理的に穿孔し、配線・配管用の挿通孔を作業効率良く形成することができるとともに、板材の貫通箇所の内周面を被覆する筒状基材によって種々の問題を招く板材切断面と配線・配管の外周面との直接接触を抑止することができる。
【００１０】
本発明の第２特徴構成は、前記筒状基材の少なくとも内周面に熱膨張材層が備えられている点にある。
【００１１】
つまり、上記構成によれば、火災時に熱膨張する熱膨張材が筒状基材に備えられているから、火災が発生したとき、熱膨張材の熱膨張によって配線・配管の消失空間を閉塞することができる。
【００１２】
しかも、この熱膨張材が、筒状基材の内周面に層状に備えられているから、熱膨張材の移動や変形等の作業を要することなく、板材に筒状基材を貫設させる挿通孔形成作業だけで、挿通孔に熱膨張材を付設する防火措置まで完了させることができる。
【００１３】
従って、施工性の低下を回避しながら、板材における配線・配管の挿通部位の防火性を向上させることができる。
【００１４】
本発明の第３特徴構成は、前記被操作部が、前記筒状基材の端部又は内側に備えられ、かつ、前記操作具による挿通孔形成用の操作によって被操作部が変形又は分離して筒状基材の内側に設定内径の前記挿通孔を形成するように構成されている点にある。
【００１５】
上記構成によれば、筒状基材の端部又は内側に備えられた被操作部を操作具で操作することにより板材に筒状基材を貫設することができるとともに、操作具による挿通孔形成用の操作により被操作部を変形又は分離させて筒状基材の内側に設定内径の挿通孔を形成することができる。
【００１６】
つまり、この構成によれば、挿通孔形成後に不要となる被操作部を、筒状基材における挿通孔形成空間（筒状基材の端部又は内側の空間）を有効活用する状態で筒状基材に備えさせることができる。
【００１７】
本発明の第４特徴構成は、前記被操作部と前記穿孔部とが、前記操作具による挿通孔形成用の操作で分離可能な状態で前記筒状基材の先端部に備えられた分離部に形成されている点にある。
【００１８】
つまり、この構成によれば、挿通孔形成後に不要となる被操作部と穿孔部との両方を、筒状基材における挿通孔形成空間（筒状基材の端部又は内側の空間）を有効活用する状態で筒状基材に備えさせることができる。
【００１９】
しかも、操作具による操作力を受ける被操作部と穿孔部との距離が小さい分、操作具による操作力（例えば、押し付け力）を穿孔部に効率的に伝達することができるから、挿通孔形成作業の容易化を図ることができる。
【００２０】
本発明の第５特徴構成は、前記分離部と前記筒状基材とが脆弱部を介して接続されている点にある。
【００２１】
上記構成によれば、前記脆弱部を形成した分だけ少ない操作力で分離部を筒状基材から分離させることができるから、挿通孔形成作業の一層の容易化を図ることができる。
【００２２】
それでいて、脆弱部を介さずに被操作部に対する操作力を穿孔部に伝達することができるから、この脆弱部の存在によって被操作部から穿孔部に伝達される操作力が低減することも回避することができる。
【図面の簡単な説明】
【００２３】
【図１】配線・配管の挿通部位の構造を示す断面図
【図２】第１実施形態の挿通孔形成具を示す側面図
【図３】第１実施形態の挿通孔形成具を示す縦断面図
【図４】図３のＩＶ−ＩＶ線断面図
【図５】第１実施形態の挿通孔形成具の使用方法を示す断面図
【図６】第１実施形態の挿通孔形成具の使用方法を示す断面図
【図７】第２実施形態の挿通孔形成具を示す側面図
【図８】第２実施形態の挿通孔形成具の使用方法を示す断面図
【図９】第３実施形態の挿通孔形成具を示す一部破断側面図
【図１０】第３実施形態の挿通孔形成具を示す要部の斜視図
【図１１】別実施形態の挿通孔形成具を示す要部の斜視図
【図１２】別実施形態の挿通孔形成具を示す要部の斜視図
【発明を実施するための形態】
【００２４】
〔第１実施形態〕
図２〜図４は、例えば、図１に示すように、区画体の一例である壁体Ｗの表面側を構成する板材Ｂ（本例では２層の石膏ボード）に対して、壁内空間Ｓｗから壁外空間Ｓｒ（例えば、室内空間）に配線ケーブルＫを取り出すための挿通孔Ａを形成する耐熱性樹脂製の配線・配管用の挿通孔形成具１を示す。
【００２５】
この挿通孔形成具１は、内面側に前記挿通孔Ａを形成可能な筒状基材２に、ドライバー等の操作具Ｔによる操作が可能な被操作部３と、この被操作部３に対する操作力で板材Ｂの内部に進入して板材Ｂに孔を穿つ穿孔部４とを設けて構成されている。
【００２６】
前記被操作部３と前記穿孔部４は、筒状基材２の先端部（筒軸心Ｘ方向（図２参照）の一端部の一例）を略閉塞する状態で該一端部に分離可能に設けられた先尖形状の分離部５に備えられている。
【００２７】
前記被操作部３は、図３〜図５に示すように、分離部５における筒状基材２側の平坦な端面５Ａ（換言すれば、筒状基材２の底面）の中央部に操作具Ｔの先端側の操作部ｔ１が係合可能な被係合溝３ａを形成して構成されている。
【００２８】
また、前記穿孔部４は、分離部５における筒状基材２とは反対側の端面を構成する略円錐状の外周面５Ｂから構成されている。
【００２９】
そして、前記筒状基材２、及び、前記分離部５の外周面５Ｂには、前記操作具Ｔによる筒軸心Ｘ回りの回転操作に連れて板材Ｂの内部に螺進移動させるための雄ネジ部を形成する一連又は略一連の螺旋状凸条６が設けられている。
【００３０】
また、図２に示すように、前記筒状基材２の筒軸心Ｘ方向の長さ寸法Ｌは、板材Ｂに貫設した状態で板材Ｂの貫通部の内周面面の全域を被覆し得るように（図６参照）、壁内空間Ｓｗと壁外空間Ｓｒとの離間寸法に相当する板材Ｂの厚み寸法（本例では板材Ｂを構成する石膏ボード二枚分の厚み寸法）と同等又はそれよりも大に構成されている。
【００３１】
前記筒状基材２の筒軸心Ｘ方向の他端部（基端部）には、板材Ｂに対して筒状基材２が設定深さ位置まで螺進移動したとき（つまり、筒状基材２が所定深さ位置に貫設したとき）に板材Ｂの貫通部周縁に当接（図６参照）して筒状基材２のそれ以上の螺進移動を阻止する状態で、被操作部３に対する回転操作力を筒状基材２から分離部５を分離させる分離力として作用させる分離案内機能と位置決め機能と化粧機能とを備えた周方向に沿って延びる円環状のフランジ部７（分離案内手段の一例、位置決め手段の一例）が径方向外方に一体的に突出形成されている。
【００３２】
前記筒状基材２と分離部５は、分離操作が容易なように強度を低下させた脆弱部８を介して接続されている。当該脆弱部８は、図３、図４に示すように、前記筒状基材２と分離部５の間の環状の接続部位に周方向に沿って複数の孔部９を分散形成して構成されている。
【００３３】
前記筒状基材２の内周面には、火災時に挿通孔Ａの内部を膨張閉塞可能なように、熱膨張性と耐熱性を備えた熱膨張性耐熱材からなる筒状の熱膨張性耐熱材層１０（熱膨張材層の一例）を配層してある。
【００３４】
次に、上述の如く構成された挿通孔形成具１を用いて板材Ｂに挿通孔Ａを形成する方法について説明する。
【００３５】
まず、板材Ｂに対して挿通孔形成具１の筒軸心Ｘ方向が直行する姿勢で穿孔部４の先端を板材Ｂに当て付けるとともに、操作具Ｔの操作部ｔ１を筒状基材２の内部に挿入し、該操作部ｔ１を挿通孔形成具１の被操作部３に係合させる。そして、この状態から操作具Ｔを押圧しながら回転操作する。
【００３６】
図５に示すように、この操作具Ｔの回転操作により挿通孔形成具１が筒軸心回りで回動し、操作具Ｔを介しての板材Ｂ側への押圧力と、操作具Ｔへの回転操作力による螺旋状凸条６の板材Ｂへの喰い込み力とによって、挿通孔形成具１が板材Ｂの内部に進入していく。この操作具Ｔによる回転操作（換言すれば、挿通孔形成具１の捻じ込み操作）を板材Ｂの貫通部周縁にフランジ部７が当接するまで継続する。
【００３７】
そして、図６に示すように、フランジ部７が板材Ｂの貫通部周縁に当接するまで挿通孔形成具１が捻じ込まれたら、挿通孔形成操作（本例では操作力を大にした回転操作）を行い、この操作力で筒状基材２と分離部５との間の脆弱部８を破断させて分離部５を分離する。
【００３８】
この挿通孔形成操作により、筒状基材２の内側に挿通孔Ａを現出させて板材への挿通孔Ａの形成を完了する。
【００３９】
つまり、この挿通孔形成具１は、穿孔部４を板材Ｂの表面側に当て付けた状態から操作具Ｔで被操作部３を操作することにより、筒状基材２の内周面を挿通孔Ａにする貫設状態で板材Ｂに配線・配管用の挿通孔Ａを形成するから、この操作だけで板材Ｂの貫通箇所の内周面を筒状基材２で被覆保護する状態で板材Ｂに配線・配管用の挿通孔Ａを形成することができる。
【００４０】
それ故に、配線・配管用の挿通孔Ａを形成する筒状基材２を利用して板材Ｂを合理的に穿孔し、板材Ｂに配線・配管用の挿通孔Ａを作業効率良く形成することができるとともに、板材の貫通箇所の内周面を被覆保護する筒状基材２によって種々の問題を招く板材Ｂの切断面と配線ケーブルＫの外周面との直接接触を抑止することができる。
【００４１】
しかも、火災時に熱膨張する熱膨張性耐熱材層１０が筒状基材２の内周面に備えられているから、板材Ｂに挿通孔形成具１を貫設させる挿通孔形成作業だけで、板材ＢにおけるケーブルＫの挿通箇所の防火措置まで完了させることができる。
【００４２】
〔第２実施形態〕
図７、図８は、板材Ｂに配線・配管用の挿通孔Ａを形成するのに用いられる挿通孔形成具１の別例を示し、この挿通孔形成具１では、前記被操作部３と前記穿孔部４が、前記操作具Ｔによる挿通孔形成用の操作によって変形して筒状基材２の内側に設定内径の前記挿通孔Ａ（図８参照）を形成するように構成されている。
【００４３】
前記被操作部３と前記穿孔部４は、筒状基材２の筒軸心Ｘ方向の一端部（先端部）を略閉塞する状態で該一端部に変形可能に設けられた先尖形状の変形部１１に備えられている。
【００４４】
前記変形部１１は、筒軸心Ｘ方向に沿う切断線により先端側を径方向で分割した分割してなる複数の分割片１１ａから構成されており、後述する被操作部３に対する挿通孔形成操作によって、各分割片１１ａにおける遊端側となる先端側が径方向外方に揺動変形して前記挿通孔Ａを現出するように構成されている。
【００４５】
前記被操作部３は、変形部１１（分割片１１ａの集合体）における筒状基材２側の平坦な端面１１Ａ（換言すれば、筒状基材２の底面）の中央部に対して操作具Ｔの操作部ｔ１が係合可能な被係合溝３ａを形成して構成されている。
【００４６】
また、前記穿孔部４は、変形部１１における筒状基材２とは反対側の端面を構成する略円錐状の外周面１１Ｂから構成されている。
【００４７】
尚、その他の構成は、第１実施形態で説明した構成と同一であるから、同一の構成箇所には、第１実施形態と同一の番号を付記してそれの説明は省略する。
【００４８】
次に、上述の如く構成された挿通孔形成具１を用いて板材Ｂに挿通孔Ａを形成する方法について説明する。
【００４９】
図示しないが、第１実施形態で説明した内容と同様に、板材Ｂに対して挿通孔形成具１の筒軸心Ｘ方向が直行する姿勢で穿孔部４の先端を板材Ｂに当て付けるとともに、操作具Ｔの操作部ｔ１を筒状基材２の内部に挿入し、該操作部ｔ１を挿通孔形成具１の被操作部３に係合させる。そして、この状態から操作具Ｔを板材の側に押圧しながら回転操作する。
【００５０】
この操作具Ｔの回転操作により挿通孔形成具１が筒軸心回りで回動し、操作具Ｔを介しての板材Ｂ側への押圧力と、操作具Ｔへの回転操作力による螺旋状凸条６の板材Ｂへの喰い込み力とによって、挿通孔形成具１が板材Ｂの内部に進入していく。この操作具Ｔによる回転操作（換言すれば、挿通孔形成具１の捻じ込み操作）を板材Ｂの貫通部周縁にフランジ部７が当接するまで継続する。
【００５１】
このとき、前記変形部１１は、外周面が先尖形状に構成されているため、板材Ｂへの進入時は、板材Ｂに外周面を押さえられる状態で各分割片１１ａが集合状態に確実に維持される。
【００５２】
そして、フランジ部７が板材Ｂの貫通部周縁に当接するまで挿通孔形成具１を捻じ込んだら、図８に示すように、挿通孔形成操作（本例では押し込み操作）を行い、この操作力で変形部１１の各分割片１１ａの先端側を径方向外方に押し広げて、変形部１１を拡形変形させる。
【００５３】
この挿通孔形成操作により、筒状基材２の内側に挿通孔Ａを現出させて板材Ｂへの挿通孔Ａの形成を完了する。
【００５４】
なお、挿通孔形成具１を捻じ込むとき、挿通孔形成具１の被操作部３に対して回転操作力と比較的強い力での押し込み力とを同時に作用させる状態で操作を行うようにすれば、挿通孔形成具１の捻じ込み移動の終期において穿孔部４が板材Ｂを貫通した時点で、上記の押し込み力が変形部１１に作用し、変形部１１の各分割片１１ａの先端側を径方向外方に押し広げて筒状基材２の内側に挿通孔Ａを現出させることができる。
【００５５】
〔第３実施形態〕
図９、図１０は、板材Ｂに配線・配管用の挿通孔Ａを形成するのに用いられる挿通孔形成具１の別例を示す。
【００５６】
この挿通孔形成具１では、前記穿孔部４が、筒状基材２の先端部に備えられた先細り形状の筒状部から構成されているとともに、この筒状部における環状の先端縁部には、周方向に沿って鋸刃状に連続する多数の刃部４ａが形成されている。
【００５７】
また、前記被操作部３が、筒状基材２の筒軸心Ｘ方向の他端部（基端部）の端面において筒状基材２の内周面を拡径する状態で窪み形成した被係合凹部３ｂから構成されている。
【００５８】
当該被係合凹部３ｂの輪郭形状は、六角レンチ等の操作具の操作部（本例では六角筒状部）が嵌入可能な形状（本例では六角形）に構成されている。
【００５９】
尚、その他の構成は、第１実施形態で説明した構成と同一であるから、同一の構成箇所には、第１実施形態と同一の番号を付記してそれの説明は省略する。
【００６０】
〔別実施形態〕
（１）前述の第１実施形態では、被操作部３を備えた分離部５が、筒状基材２の先端部に備えられている場合を例に示したが、筒状基材２の内部における筒軸心方向の中間部（筒状基材２の内側の一例）に備えられていてもよく、また、図１１に示すように、脆弱部８を介して筒状基材２の基端部に備えられていてもよい。
【００６１】
（２）前述の各実施形態では、被操作部３が筒状基材２の径方向内方側に備えられている場合を例示したが、筒状基材２の径方向外方側に備えられていてもよい。
【００６２】
この場合、例えば、図１２に示すように、筒状基材２の径方向外側に突出形成されたフランジ部７の外郭形状をスパナやペンチ等の操作具Ｔの操作部が係合可能な形状とすることで、被操作部３とフランジ部７とを兼用構成するようにしてもよい。
【００６３】
（３）前述の各実施形態では、挿通孔形成具１の素材として、耐熱性を有した樹脂材を例に示したが、例えば、熱膨張性を有した樹脂材や不燃性を有した樹脂材や金属などであってもよいし、可燃性材料であってもよい。なお、挿通孔形成具１の素材として可燃性材料を採用する場合には、挿通孔形成具１と配線ケーブルＫとの間に熱膨張性の不燃材等の充填材を充填するのが望ましい。
【００６４】
（４）上述の如く、挿通孔形成具１の素材として熱膨張性を有する樹脂材を採用する場合には、前述の各実施形態で説明した熱膨張材層１０を適宜に省略してもよい。
【産業上の利用可能性】
【００６５】
本発明は、建物に限らず、各種の構造物や装置等の壁や天井に対し配線・配管用の挿通孔を形成するのに好適に適用することができる。
【符号の説明】
【００６６】
Ｂ          板材
Ａ          挿通孔
Ｔ          操作具
１          挿通孔形成具
２          筒状基材
３          被操作部
４          穿孔部
５          分離部
８          脆弱部
１０        熱膨張材層
【図１】
2014145427.tif 000003
【図２】
2014145427.tif 000004
【図３】
2014145427.tif 000005
【図４】
2014145427.tif 000006
【図５】
2014145427.tif 000007
【図６】
2014145427.tif 000008
【図７】
2014145427.tif 000009
【図８】
2014145427.tif 000010
【図９】
2014145427.tif 000011
【図１０】
2014145427.tif 000012
【図１１】
2014145427.tif 000013
【図１２】
2014145427.tif 000014